(57)【要約】【課題】キャッチライト内に写される縦長の投影像を目立たなくする自動写真撮影装置を提供する。【解決手段】本発明による自動写真撮影装置は、拡散板６０を有する照明装置１３と、縦長のカメラユニット１９と、横長の遮光板６６とを備える。カメラユニット１９は拡散板６０の中央部に設けられる。遮光板６６はカメラユニット１９と交差して設けられる。自動写真撮影装置が被写体を撮影したとき、被写体の目に写されたキャッチライト内には、縦長のカメラユニット１９の投影像とともに、その縦長の投影像に交差した横長の遮光板６６の投影像が投影される。【選択図】図２
2006259238.tif 000002
【特許請求の範囲】
【請求項１】
光源と、
前記光源と被写体との間に配置され、前記光源からの光を前記被写体に導く板状の光学部材と、
前記光学部材の中央部に形成され、前記被写体の黒目に写る程度の大きさの幅を有する縦長の遮光領域と、
前記遮光領域と交差して設けられ、前記被写体の黒目に写る程度の大きさの幅を有する横長の遮光部材と、
前記被写体に対して前記光学部材と同じ側に配置され、前記光学部材により導かれた光に照らされた前記被写体を撮影する撮影手段と、
前記撮影手段により撮影された被写体の写真を出力する写真出力手段とを備えることを特徴とする自動写真撮影装置。
【請求項２】
請求項１に記載の自動写真撮影装置であって、
前記遮光領域の高さは５００ｍｍ以上であり、前記遮光領域の幅及び前記遮光部材の幅は８０ｍｍ以上であることを特徴とする自動写真撮影装置。
【請求項３】
請求項１又は請求項２に記載の自動写真撮影装置であって、
前記撮影手段は、前記遮光領域に設けられることを特徴とする自動写真撮影装置。
【請求項４】
請求項１〜請求項３のいずれか１項に記載の自動写真撮影装置であってさらに、
前記光源を収納し、正面に開口部を有する筐体を備え、
前記光学部材は、前記開口部に配置され、
前記遮光部材は、前記光学部材を前記開口部に固定するフレームであることを特徴とする自動写真撮影装置。
【請求項５】
請求項１〜請求項４のいずれか１項に記載の自動写真撮影装置であって、
前記遮光部材は、前記光学部材から前記被写体側に突出して設けられることを特徴とする自動写真撮影装置。
【請求項６】
請求項１〜請求項５のいずれか１項に記載の自動写真撮影装置であって、
前記遮光部材は黒色であることを特徴とする自動写真撮影装置。
【発明の詳細な説明】
【技術分野】
【０００１】
本発明は、自動写真撮影装置に関し、さらに詳しくは、被写体をカメラで撮影し、撮影した写真をシールシートに印刷して販売する自動写真撮影装置に関する。
【背景技術】
【０００２】
ゲームセンタなどの遊戯施設には、利用者を被写体としてカメラで撮影し、その写真をシールシートに印刷して販売する自動写真撮影装置が設置されている。最近では、撮影画像をタブレットディスプレイなどに表示し、付属のタッチペンで文字や図形などを入力できる、「落書き」や「お絵描き」と呼ばれる編集機能を備えたものが一般的になっている。編集機能で入力された画像は撮影画像に合成され、その合成画像がプリンタでシールシートに印刷され、利用者に提供される。
【０００３】
このような自動写真撮影装置は、仕上がった写真の美しさや被写体の写り具合の良さが人気に大きく影響する。そのため、ほとんどの写真撮影装置には、被写体を照明するための照明装置が設けられる。図１１及び図１２を参照して、従来の自動写真撮影装置は、照明ユニット１３ａ及び１３ｂとで構成される撮影筐体４を備える。撮影筐体４の正面は、上部拡散板６０ａと下部拡散板６０ｂとで構成される拡散板６０が配置され、拡散板６０の中央部には、カメラ１０とライブモニタ１１とを備えたカメラユニット９０が設けられる。
【０００４】
撮影筐体４の内部には、被写体を常に照明する蛍光灯の他、撮影時に被写体をより明るく照明するキセノン発光管などのストロボが設けられる。また、撮影筐体４の内面は白色に塗装されている。このような構造により、ストロボ等の光源から出射した光を撮影筐体４の内面で反射させて間接的に拡散板６０に入射させ、さらに拡散板６０によって光をある程度拡散させる。その結果、被写体に均一な光を照射でき、被写体の写り具合を良くすることができる。
【０００５】
図１２に示すように、上部拡散板６０ａ及び下部拡散板６０ｂは、互いの法線が交差するように傾いて配置される。要するに、拡散板６０の縦断面は「くの字」の形状となっている。これにより、上部拡散板６０ａから照射された光ａと、下部拡散板６０ｂから照射された光ｂとが被写体の上半身近傍の領域ｃに集中する。このように、領域ｃに光を集中することで、被写体の肌の質感等を美しく際立たせることができ、写真の写り具合が良くなる。
【０００６】
さらに、拡散板６０から出射された光は、被写体の黒目に投射される。このように被写体の黒目に投射される光はキャッチライトと呼ばれる。キャッチライトにより被写体の表情は豊かになり、被写体の写り具合がさらに良くなる。キャッチライトを被写体の黒目に入れる技術は一般的に行われており、最近では、キャッチライトの形状を利用者が選択できる技術も報告されている。特開２００４−７６０９号公報（特許文献１）及び特開２００２−５６４５７号公報（特許文献２）では、利用者が選択した形状が撮影時に発光することにより、発光した形状のキャッチライトを利用者の目に入れることのできる自動写真撮影装置が開示されている。
【０００７】
拡散板６０により被写体の黒目に投射されたキャッチライトの形状は、図１３のようになる。キャッチライトｅの形状は、光を出射する拡散板６０の形状と相似する。また、拡散板中央に配置されたカメラユニット９０は、光源からの光を遮るため、キャッチライトｅの中央には、カメラユニット９０の像ｆが投影される。カメラユニット９０は拡散板６０よりも小さいため、キャッチライトｅ内の投影像ｆはそれほど目立たず、被写体の写り具合に影響を与えない。
【０００８】
ところで、被写体を近接撮影したクローズアップ写真だけでなく、被写体を遠隔撮影した全身写真も１台で撮影できる自動写真撮影装置のニーズが最近高まっている。そのため、本発明者らは、図１４に示す新たな自動写真撮影装置を開発した。この自動写真撮影装置は、拡散板６０の中央部に、クローズアップ写真用のカメラ１０ａと、全身写真用のカメラ１０ｂと、カメラ１０ａ及び１０ｂに対応したライブモニタ１１ａ及び１１ｂを縦に配列した縦長のカメラユニット１９を設ける。この縦長のカメラユニット１９により、クローズアップ写真と全身写真とを１台で撮影できる。
【０００９】
しかしながら、このような自動写真撮影装置を用いて被写体を撮影した場合、カメラユニット１９が従来のカメラユニット９０よりも縦長であるため、光が遮られる領域が従来よりも縦長になる。そのため、図１５に示すようにキャッチライト内に従来よりも縦長の投影像ｆが投影される。この投影像ｆにより、被写体の黒目の中にさらに縦長の黒目（投影像ｆ）があるように見え、被写体の目が猫目のように写る。猫目に写ると、被写体の顔の表情にきつい印象を与えるため、写真の写り具合が悪くなる。
【特許文献１】特開２００４−７６０９号公報
【特許文献２】特開２００２−５６４５７号公報
【発明の開示】
【発明が解決しようとする課題】
【００１０】
本発明の目的は、キャッチライト内に写される縦長の投影像を目立たなくする自動写真撮影装置を提供することである。
【課題を解決するための手段及び発明の効果】
【００１１】
本発明による自動写真撮影装置は、光源と、光学部材と、光学部材の中央に形成される縦長の遮光領域と、横長の遮光部材と、撮影手段と、写真出力手段とを備える。光学部材は、光源と被写体との間に配置され、光源からの光を被写体に導く。遮光領域は、被写体の黒目に写る程度の大きさの幅を有する。遮光部材は、遮光領域と交差して設けられ、被写体の黒目に写る程度の大きさの幅を有する。撮影手段は、被写体に対して光学部材と同じ側に配置され、光学部材により導かれた光に照らされた被写体を撮影する。写真出力手段は、撮影手段により撮影された被写体の写真を出力する。
【００１２】
本発明による自動写真撮影装置では、光源から出射された光が光学部材により被写体に導かれる。このとき、被写体の黒目には光学部材と相似した形状のキャッチライトが写される。光学部材の中央には縦長の遮光領域があるため、キャッチライト内に縦長の遮光領域の投影像ができる。さらに、遮光領域と交差した遮光部材により、キャッチライト内に横長の遮光部材の投影像ができる。要するに、キャッチライト内には縦長の投影像と、その縦長の投影像に交差した横長の投影像ができる。この横長の投影像により、縦長の投影像を目立たなくすることができる。
【００１３】
好ましくは、遮光領域の高さは５００ｍｍ以上であり、遮光領域の幅及び遮光部材の幅は８０ｍｍ以上である。
【００１４】
この場合、互いに交差した２本の投影像をキャッチライト内に明瞭に投影することができる。
【００１５】
好ましくは、撮影手段は、遮光領域に設けられる。
【００１６】
好ましくは、自動写真撮影装置はさらに、光源を収納し、正面に開口部を有する筐体を備え、光学部材は、開口部に配置され、遮光部材は、光学部材を開口部に固定するフレームである。
【００１７】
この場合、遮光部材は、キャッチライト内に横長の投影像を形成するだけでなく、フレームとして光学部材を固定する。そのため、遮光部材とフレームとを別個に設ける必要がなくなる。
【００１８】
好ましくは、遮光部材は、光学部材から被写体側に突出して設けられる。
【００１９】
この場合、遮光部材が光学部材よりも被写体側に突出しているため、光学部材表面での光の照度よりも、遮光部材表面の光の照度の方が低くなる。そのため、遮光部材表面がより暗くなり、キャッチライト内の横長の投影像をより際立たせることができる。このため、キャッチライト内の縦長の投影像を目立たないようにすることができる。
【００２０】
好ましくは、遮光部材は黒色である。
【００２１】
上記発明によれば、黒色や暗い色を施すことによって遮光部がより暗くなるので、被写体の目に写る横長状の黒い像をより際立たせることができる。このため、縦長線状の黒い像を目立たないようにすることができる。
【発明を実施するための最良の形態】
【００２２】
以下、図面を参照し、本発明の実施の形態を詳しく説明する。図中同一又は相当部分には同一符号を付してその説明は繰り返さない。
【００２３】
図１（Ａ）は、本発明の実施の形態における自動写真撮影装置１の側面図であり、図１（Ｂ）は、自動写真撮影装置１の縦断面図である。
【００２４】
図１（Ａ）及び（Ｂ）を参照して、自動写真撮影装置１は撮影筐体４を備え、その両側に、撮影を行う撮影コーナ２と、「落書き」や「お絵かき」と呼ばれる編集を行う編集コーナ３とを有する。初めに、利用者は撮影コーナ２に入り、撮影筐体４側を向いて撮影を行う。撮影後、利用者は編集コーナ３に移動し、撮影した画像に編集を加える。
【００２５】
撮影コーナ２は、利用者が出入りでき、かつ、撮影筐体４と利用者との間に必要な距離を確保できるように、撮影筐体４と背面パネル５との間に適当な空間を形成している。背面パネル５の上部付近には、背景カーテンユニット６が備えられる。背景カーテンユニット６には電動によってモータなどにより駆動される様々な色や柄の背景カーテン７が含まれ、それらを用いて撮影時の被写体の背景を形成する。背景カーテン７は、利用者の手動操作によりセットされてもよい。また、撮影コーナ２には利用者に対し音楽や操作方法の説明などを音声で出力する撮影用スピーカ（図４中の符号１６）が備えられる。編集コーナ３には、撮影した画像を編集するための編集装置８が設けられる。撮影コーナ２及び編集コーナ３は、外部からの光を遮断し、かつ、利用者のプライバシを保護するために、サイドカーテン９が取り付けられている。
【００２６】
自動写真撮影装置１の側面には、コイン受付部３０と写真出力部５０とが備えられる。コイン受付部３０は、自動写真撮影装置１を利用するための対価である硬貨を投入するためのコイン投入口３１と、不良硬貨などを排出するコイン排出口３２と、コイン受付時の案内を表示する案内表示ディスプレイ３３と、投入されたコインが蓄積されるコインボックス３４とで構成される。
【００２７】
写真出力部５０は、プリント取出口５１と、印刷中ＬＥＤ５２と、印刷エラーＬＥＤ５３とを備える。プリント取出口５１は、撮影後にお絵描き入力（画像編集）等が施された画像が、所定の数だけ、所定の大きさで印刷されたシール紙を排出する。印刷中ＬＥＤ５２は、点灯あるいは点滅することで、印刷中であることを通知する。印刷エラーＬＥＤ５３は、印刷中ＬＥＤ５２と、印刷中、あるいは印刷中に用紙切れ、インク切れ、用紙詰り、メカニカルエラーなどのエラーが発生していることを通知する。
【００２８】
以下、説明の便宜上、撮影筐体４の撮影コーナ２側の面を正面とし、編集コーナ３側の面を背景とする。
【００２９】
図２を参照して、撮影筐体４の正面６５には、照明ユニット１３ａ〜１３ｅ（これらをまとめて照明装置１３と称する）と、カメラユニット１９とが設けられている。
【００３０】
照明装置１３は、その表面に拡散板６０ａ〜６０ｅで構成される拡散板６０を有し、内部に光源を収納する。光学部材である拡散板６０は、光源から出射された光を被写体に導く。拡散板６０の中央部には、カメラユニット１９が設けられている。照明装置１３の詳細は後述する。
【００３１】
カメラユニット１９は、クローズアップ写真を撮影するための上カメラ１０ａと、被写体の全身写真を撮影するための下カメラ１０ｂとを備える。カメラ１０ａ及び１０ｂ（これらをまとめてカメラ１０とも称する）は、被写体である利用者を撮影するためのＣＣＤ（Charge Coupled Device），ＣＭＯＳ（Complementary Mental Oxide Semiconductor）などの撮像素子からなる。カメラ１０は、一般的にデジタルカメラが用いられる。一般的なデジタルカメラで設定できる項目（たとえばシャッタースピード、絞り値、露出補正、ホワイトバランスなど）の変更や撮影タイミングは、撮影筐体４内に備えられたコンピュータ装置（図４中１０１ａ）から指示される。
【００３２】
カメラユニット１９はさらに、上カメラ１０ａに対応する撮影操作モニタ１１ａと、下カメラ１０ｂに対応する撮影操作モニタ１１ｂとを備える。撮影操作モニタ１１ａ及び１１ｂ（これらをまとめて撮影操作モニタ１１とも称する）は、カメラ１０から撮像される映像をリアルタイムで表示する。利用者は、撮影操作モニタ１１を見ながら好みのポーズや表情を取る。撮影操作モニタ１１はさらに、撮影指示や選択肢などを適宜画面に表示することによって、撮影時の誘導案内を行なう。利用者は、撮影操作モニタ１１に表示された指示に従って、撮影を行う。撮影操作モニタ１１の上には透明なタッチパネルが積層され、撮影操作モニタ１１はタッチパネルを介して利用者の操作又は選択を検出する。
【００３３】
これらのカメラ１０及び撮影操作モニタ１１とを備えたカメラユニット１９は高さが５００ｍｍ以上、幅が８０ｍｍ以上となる。このように、カメラユニット１９が従来よりも縦長になるため、キャッチライト内にカメラユニットの投影像が明瞭に投影される。
【００３４】
図３を参照して、編集コーナ３側、つまり、撮影筐体４の背面７０に設置された編集装置８は、編集用のコンピュータ装置（図４中の符号１０１ｂ）などの各種機器類を内部に収める。編集装置８の正面には、タッチパネル４１が積層される編集操作モニタ４０とタッチペン４２とで構成される入力装置とが備えられる。このような編集操作モニタ４０とタッチペン４２とは複数備えられてもよい。入力装置が複数備えられることによって、同一グループの複数の利用者が同時に画像編集を行うことができる。編集コーナ３にはさらに、利用者に対し音楽や操作方法の説明などを音声で出力する編集用スピーカ（図４中の符号４６参照）が備えられる。
【００３５】
［写真自動販売装置の機能構成］
図４を参照して、自動写真撮影装置１の機能構成を説明する。
【００３６】
自動写真撮影装置１は、電源を必要とするコンピュータ装置１０１ａ及び１０１ｂなど、各種装置の電源系統を制御する電源制御部（図示せず）を備え、外部からそれらの装置に対する電源の電圧を安定させるよう制御する。このような電源の投入および切断は、自動写真撮影装置１に備わる電源スイッチ（図示せず）を押すことで行なわれる。
【００３７】
自動写真撮影装置１は、撮影コーナ２側で行なわれるプレイの処理動作を実行する撮影用コンピュータ装置１０１ａと、編集コーナ３側で行なわれるプレイの処理動作を実行する編集用コンピュータ装置１０１ｂと、動作中のコンピュータ装置１０１ａ及び１０１ｂからの指示を受付けて、接続されている各種装置を制御する制御基板１０２とを備える。撮影用コンピュータ装置１０１ａと編集用コンピュータ装置１０１ｂとは、互いに接続され、画像データや情報データなどの授受をピアツーピアで行なう。これらは自動写真撮影装置１の制御手段として機能する。
【００３８】
コンピュータ装置１０１ａ及び１０１ｂは、演算装置であるＣＰＵ（Central Processing Unit）１０３ａ及び１０３ｂと、装置を動作させるためのプログラムおよびプログラムで必要なグラフィックデータ、音声データ、撮影された画像や撮影画像に対して入力した編集画像その他各種画像などを記憶する記憶部１０４ａ及び１０４ｂと、プログラムの一時的な作業領域となるメモリ１０５ａ及び１０５ｂと、プリンタ５５、カメラ１０などの周辺機器を制御するためのソフトウェアであるドライバ（図示せず）とを含む。外部装置と通信を行なう通信端末を備えていてもよい。
【００３９】
撮影用コンピュータ装置１０１ａは、上記撮影プレイのプログラムの実行や、タッチパネル４１から受信した利用者の指などによってタッチされることによって行なわれる入力操作に対応した指示信号に基づいて、制御基板１０２に対して制御信号を送信する。
【００４０】
撮影用コンピュータ装置１０１ａは、カメラ１０、撮影操作モニタ１１、制御基板１０２と接続されそれらを制御する。
【００４１】
編集用コンピュータ装置１０１ｂは、上記編集プレイのプログラムの実行や、タッチパネル４１から受信した利用者にタッチペン４２でタッチされることによって行なわれる入力操作に対応した指示信号に基づいて、制御基板１０２に対して制御信号を送信する。
【００４２】
編集用コンピュータ装置１０１ｂは、プリンタ５５、編集操作モニタ４０、制御基板１０２と接続されそれらを制御する。
【００４３】
なお、コンピュータ装置１０１ａ及び１０１ｂに接続される各構成要素はこのような形態に限定されず、機能ごとに分かれていたり、位置ごとに分かれていたりしてもよい。さらに、コンピュータ装置１０１ａ及び１０１ｂは、本実施形態のような２台で構成されていなくてもよく、１台でもよいし、複数台以上で構成されていてもよい。
【００４４】
電源スイッチ（図示せず）が押され、自動写真撮影装置１に電源プラグより電源が投入されると、上記プログラムが起動されて、撮影用コンピュータ装置１０１ａは、接続されるカメラ１０のシャッタタイミングや、撮影操作モニタ１１での表示を制御し、編集用コンピュータ装置１０１ｂは、プリンタ５５での出力や、編集操作モニタ４０での表示を制御する。
【００４５】
プリンタ５５は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においてはプリンタ５５でシールシートが印刷されるものとして説明を行なうが、印刷媒体はシールシートに限定されず、他の印刷媒体であっても同様の処理が実行される。プリンタ５５は、上述の用紙切れなどの状態を編集用コンピュータ装置１０１ｂに通知する。編集用コンピュータ装置１０１ｂは、その状態に応じて制御基板１０２に制御信号を送信する。
【００４６】
タッチパネル１２は、撮影操作モニタ１１の上に積層されている。タッチパネル１２は、利用者の指などが触れられることによる入力を検出する。タッチ操作によってタッチパネル１２により検出されたデータ信号は、撮影用コンピュータ装置１０１ａに送信される。撮影操作モニタ１１は、撮影用コンピュータ装置１０１ａから送信されるデータが表示される。撮影用コンピュータ装置１０１ａから送信されるデータとは、カメラ１０から撮像される映像や撮影指示や選択肢などであり、これらを適宜画面に表示することによって、撮影時の映像の視覚確認や各種誘導案内などを行なう。
【００４７】
タッチパネル４１は、編集操作モニタ４０の上に積層されている。タッチパネル４１は、タッチペン４２Ｌ，Ｒからの入力を検出する。タッチペン４２Ｌ，Ｒでの入力操作によってタッチパネル４１により検出されたデータ信号は、編集用コンピュータ装置１０１ｂに送信される。編集操作モニタ４０は、編集用コンピュータ装置１０１ｂから送信されるデータが表示される。したがって、利用者が落書きなどを入力している間は、落書きなどが施された撮影画像が、編集操作モニタ４０に表示される。すなわち、利用者は編集操作モニタ４０に表示された撮影画像に対して、タッチペン４２Ｌ，Ｒを使用して、その上に編集入力処理を行なうことができる。
【００４８】
制御基板１０２は、コンピュータ装置１０１の他に、ストロボ制御部１１０、音声制御部１１１、コイン制御部１１２、サービスパネル１１３に接続される。
【００４９】
ストロボ制御部１１０は、カメラ１０に接続され、カメラ１０におけるシャッタタイミングに応じた同期信号を取得する。そして、カメラ１０のシャッタタイミングに同期させて、ストロボ１５を発光させるように制御する。なお、ストロボ制御部１１０は制御基板１０２と接続され、発光させるストロボ１５などの閃光照明の選定や、ストロボ１５の発光度の設定がなされる。蛍光灯１４などの常灯照明も同様に制御基板１０２と接続され、その照明度合いなどの設定がなされる。
【００５０】
音声制御部１１１は制御基板１０２を介して、撮影用コンピュータ装置１０１ａおよび編集用コンピュータ装置１０１ｂと接続され、撮影用スピーカ１６は、撮影空間に配備され、撮影用コンピュータ装置１０１ａからの指示に従って、制御基板１０２を介して指示信号を受信し、写真自動販売装置の撮影プレイにおける操作などの案内や、撮影時のＢＧＭなどを出力し、編集用スピーカ４６は、編集空間に配備され、編集用コンピュータ装置１０１ｂからの指示に従って、制御基板１０２を介して指示信号を受信し、写真自動販売装置の編集プレイにおける操作などの案内や、編集時のＢＧＭなどを出力する。なお、撮影用スピーカ１６や編集用スピーカ４６から出力する音声のボリュームを調整する音量調整つまみなどは、サービスパネル１１３に備えられる。
【００５１】
コイン制御部１１２は、コイン投入口３１に投入されたコインの正当性を検出し、制御基板１０２にコインが投入されたことを示す検出信号を送信する。
【００５２】
制御基板１０２は撮影用コンピュータ装置１０１ａから受信した制御信号（指示コマンドなど）にしたがって、コイン制御部１１２に対して制御信号を送信する。コイン制御部１１２は、該制御信号にしたがって、コインが投入されないようにコイン投入口３１をブロックしたり、コイン排出口３２に排出したりすることができる。このことで、たとえば、プレイ中にコイン投入を禁止することができる。
【００５３】
また、制御基板１０２は撮影用コンピュータ装置１０１ａから受信した制御信号（指示コマンドなど）にしたがって、案内表示ディスプレイ３３に制御信号を送信する。案内表示ディスプレイ３３にはコインが投入されたことを示す案内が表示される。
【００５４】
サービスパネル１１３は、投入されたコインの枚数をカウントするコインカウンタ、印刷されたプリントの枚数をカウントするプリントカウンタ、撮影用スピーカ１６及び／または編集用スピーカ４６から出力する音声のボリュームを調整する音量調整つまみ、テストモードを行なうためのテストボタン、およびコインを投入しなくても装置が利用できるようにするためのサービスボタン等を備えるパネルであって、自動写真撮影装置１の設置者（操作者）が各種設定やメンテナンスの操作を行なう際に用いられる。サービスパネル１１３は、サービスボタンの操作などの制御操作が行なわれると、その操作にしたがった制御信号を制御基板１０２に対して送信する。
【００５５】
制御基板１０２は、撮影用コンピュータ装置１０１ａや編集用コンピュータ装置１０１ｂから受信した制御信号（指示コマンドなど）にしたがって、サービスパネル１１３に対して制御信号送信する。サービスパネル１１３は、該制御信号に従って、コインカウンタやプリントカウンタを動作させる（たとえばカウンタを１インクリメントする）。
【００５６】
さらに、制御基板１０２は、編集用コンピュータ装置１０１ｂから、プリンタ５５の状態に応じた制御信号を受信し、該制御信号にしたがって、印刷中ＬＥＤ５２、および印刷エラーＬＥＤ５３を制御する。かかる制御信号によって、印刷中ＬＥＤ５２、および印刷エラーＬＥＤ５３が点灯または点滅する。
【００５７】
なお、言うまでもなく、自動写真撮影装置１の形態は図１〜図４に示される具体例に限定されるものではない。すなわち、図１〜図４に記載されない他の機能が備えられていてもよいし、図１〜図４に記載されている機能の必ずしもすべてが備えられていなくても構わない。
【００５８】
［自動写真撮影装置の動作］
自動写真撮影装置１は、コイン受付部３０で硬貨の投入を受け付ける。硬貨を受付けたとき、自動写真撮影装置１が利用可能な状態であれば、案内表示ディスプレイ３３にその旨の案内を表示する。利用者は案内を確認後、開放されている後方側面（図中の右側）から撮影空間２に入る。
【００５９】
続いて、本装置の遊戯動作が開始される。遊戯動作は撮影プレイから始まる。具体的には、写真自動販売装置はカメラ１０ａ又は１０ｂで被写体を撮影する。撮影が終了した後、利用者に対して編集コーナ３に移動するように促す案内を撮影操作モニタ１１ａ又は１１ｂに表示する。以降、利用者が編集コーナ３に移動し、編集プレイが開始される。
【００６０】
編集プレイでは、お絵描きと呼ばれるスタンプ画像やテキストなどの編集画像が、利用者により編集装置８に入力される。自動写真撮影装置１は、入力された編集画像を撮影画像に合成し、合成画像を作成する。編集動作終了後、作成した合成画像をレイアウトした印刷データをシール紙に印刷し、写真出力部５０で利用者に提供する。
【００６１】
［撮影筐体の正面の構成］
図２を再び参照して、照明装置１３は、上側前面照明ユニット１３ａと、下側前面照明ユニット１３ｂと、左サイド照明ユニット１３ｃと、右サイド照明ユニット１３ｄと、天井照明ユニット１３ｅとで構成され、利用者を照明する。
【００６２】
照明ユニット１３は、光源として、蛍光灯（図４中符号１４）などの常灯照明と、ストロボ（図４中符号１５）などの閃光照明（フラッシュ）とを内部に収納し、その表面に光学部材である拡散板６０を備える。より具体的には、照明ユニット１３を構成する各照明ユニット１３ａ〜１３ｅは、正面に開口部を有する筐体と、開口部に配置された拡散板６０ａ〜６０ｅとを備え、筐体の内部に光源（蛍光灯及びストロボ）が収納される。したがって、拡散板６０は、光源と被写体との間に設けられる。
【００６３】
拡散板６０は拡散板６０ａ〜６０ｅで構成され、その中央部にカメラユニット１９が設けられる。拡散板６０の中央部は、カメラユニット１９が設けられることにより、光源からの光を遮蔽する遮光領域となっている。遮光領域は、被写体の黒目に写る程度の幅を有する。
【００６４】
上側前面照明ユニット１３ａと、下側前面照明ユニット１３ｂとは、撮影筐体４に設けられ、拡散板６０ａ及び６０ｂは撮影筐体４の正面に配置される。また、前面照明ユニット１３ａ及び１３ｂに隣接した側面には、撮影筐体４の正面に向かって左側に左サイド照明ユニット１３ｃ、右側に右サイド照明ユニット１３ｄがそれぞれ設けられている。照明ユニット１３ｃの拡散板６０ｃと、照明ユニット１３ｄの拡散板６０ｄとは、互いに対向して配置される。
【００６５】
天井照明ユニット１３ｅは撮影コーナ２の上部に設けられ、照明ユニット１３ｅの拡散板６０ｅが撮影コーナ２の天井を構成する。照明ユニット１３ｅは天井から被写体を照射する。
【００６６】
拡散板６０には乳白色のアクリル板などが用いられる。また、拡散板６０ａ〜６０ｅのうち、隣接する拡散板同士は、板金などのフレーム６１で固定される。
【００６７】
撮影筐体４の正面にはさらに、カメラユニット１９と交差して設けられる遮光板６６を備える。
【００６８】
遮光板６６は拡散板６０ａを固定するフレーム６１のうちの下辺部のフレーム６１ａと、拡散板６０ｂを固定するフレーム６１のうちの上辺部のフレーム６１ｂとで構成される。遮光板６６の幅は被写体の黒目に写る程度の大きさとする。好ましくは、遮光板６６の幅は８０ｍｍ以上とする。図２に示すように、フレーム６１ａ及び６１ｂの幅は、フレーム６１を構成する他のフレーム部分よりも大きくなっている。なお、フレーム６１ａとフレーム６１ｂとは、一体的に形成されていてもよい。
【００６９】
遮光板６６は光源から出射された光を遮る。遮光板６６の素材は、光を遮るものや、光を通さないもの、光を反射しないものであれば木、板金、紙などどのような素材であっても構わない。
【００７０】
自動写真撮影装置１を用いて被写体を撮影する場合、光源からの光を受け、拡散板６０が光を出射するが、カメラユニット１９及び遮光板６６は光源からの光を通さない。したがって、図５に示すように、被写体の黒目に投射されるキャッチライトｅ内には、縦長のカメラユニット１９の投影像ｆとともに、投影像ｆに交差した横長の遮光板６６の投影像ｇも投影される。
【００７１】
このように、キャッチライトｅ内に縦長の投影像ｆだけでなく、投影像ｆと交差した横長の投影像ｇも写るため、縦長の投影像ｆのみがキャッチライトに写った場合と比較して、投影像ｆが目立たなくなる。そのため、被写体の目が猫目のように写るのを防止でき、被写体の写り具合をよくすることができる。
【００７２】
なお、遮光板６６の幅を８０ｍｍ以上とすることで、遮光板６６が被写体の黒目に明瞭に写る。そのため、キャッチライトｅ内に投影像ｇを明瞭に投影することができる。そのため、投影像ｆをより目立たなくすることができる。
【００７３】
さらに、遮光板６６は、フレームとして、拡散板６０ａ及び６０ｂを固定する。そのため、遮光板とフレームとを別個に設ける必要がなくなる。
【００７４】
以上、本実施の形態を説明したが、本発明は上述した実施の形態に限定されるものではない。
【００７５】
上述した遮光板６６の色は、たとえば図６に示すように、黒色または明度の低い色にするのが好ましい。遮光板６６の色を黒色又は明度の低い色とすることで、回折した光が遮光板６６を照らしても、その光は反射せずに吸収される。そのため、キャッチライトｅ内の投影像ｇをより明瞭に投影できる。
【００７６】
また、図７（Ａ）及び（Ｂ）に示すように、フレーム６１とは別個に、遮光板６２をカメラユニット１９と交差するように設けてもよい。
【００７７】
また、自動写真撮影装置１は、図１（Ｂ）が図示するように、側方から見ると、拡散板６０ａの法線と、拡散板６０ｂの法線とが交差するような、いわゆる「くの字型」の形状で配置される。そのため、拡散板６０ａまたは拡散板６０ｂを通して出射される光がカメラユニット１９にまわりこまず、カメラユニット１９が影になってしまい、カメラユニット１９が写りこんだ投影像ｆの暗さがより際立ってしまう。
【００７８】
上記のような問題を解決するために、図８（Ａ）及び（Ｂ）に図示するように、遮光部材６２をカメラユニット１９と同様に被写体側に突出するように配備してもよい。このような遮光部材６２は、上記のように被写体側に突出するように配備されているため、カメラユニット１９と同様に光がまわりこまなくなり、影になってしまう。このため、黒目に写る横長の投影像ｇが、よりはっきりと写るため、利用者に違和感を抱かせないようにすることができる。なお、遮光部材６２は、ネジ６３を用いて拡散板６０に固定する。また、遮光部材６２を黒色や暗い色とすることにより、遮光部材６２の部分がより暗くなるので、同様な効果を奏する。
【００７９】
図９（Ａ）〜（Ｄ）は撮影筐体４を横から見た図である。図９（Ａ）に示すように拡散板６０ａと拡散板６０ｂとで形成される角度に沿うような三角柱の遮光部材６２を配備してもよい。さらに図９（Ｂ）に示すように、横から見ると四角状に突き出るように遮光部材６２を配備してもよいし、図９（Ｃ）に示すように横から見ると三角状に突き出るように遮光部材６２を配備してもよいし、図９（Ｄ）が図示するように半円弧状の形状の遮光部材６２を配備してもよい。このようにすることによって、遮光部材６２に拡散板６０ａと拡散板６０ｂから出射する光がまわりこみにくくなり、黒目に写る横長の投影像ｇが、よりはっきりと写るため、利用者に違和感を抱かせないようにすることができる。
【００８０】
本実施の形態による自動写真撮影装置は、複数のカメラ１０ａ及び１０ｂを含むカメラユニット１９を拡散板６０の中央部に設けたが、たとえば、図１０に示すように、１つのカメラ１０を備えたカメラユニット９０が上下に移動するような機構としてもよい。この場合、カメラユニット９０が移動する領域９１が遮光領域となる。
【００８１】
また、本実施の形態による自動写真撮影装置では、拡散板６０の中央部の遮光領域にカメラユニット１９を設けたが、この遮光領域にカメラユニット以外の装置を設けても良い。
【００８２】
本実施の形態では、光学部材として乳白色のアクリル板である拡散板を用いたが、光学部材は、光源からの光を透過させる部材であればよく、その透過性、素材、色等に特に限定されない。たとえば、光学部材は、ピンク色のアクリル板であってもよい。また、光学部材は、透明板や、強化ガラスや、光を収束させる素材等でもよい。
【００８３】
本実施の形態では、光学部材である拡散板６０の断面が「くの字」の形状となっているが、光源からの光を被写体に導くことができれば、光学部材の形状及び配置角度等は特に限定されない。たとえば、光学部材は、その法線が床面と平行になるように配置されてもよい。また、縦断面形状や横断面形状が曲率を有していてもよい。
【００８４】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００８５】
【図１】本発明の実施の形態による自動写真撮影装置の側面図及び縦断面図である。
【図２】図１中の撮影筐体の正面図である。
【図３】図１中の撮影筐体の背面図である。
【図４】図１に示した自動写真撮影装置の機能ブロック図である。
【図５】図１の自動写真撮影装置で撮影された被写体の目に投射されるキャッチライトの形状を示す模式図である。
【図６】図２に示した撮影筐体と異なる別の撮影筐体の正面図である。
【図７】図２及び図６に示した撮影筐体と異なる、さらに別の撮影筐体の正面図及び斜視図である。
【図８】図２、図６及び図７に示した撮影筐体と異なる、さらに別の撮影筐体の側面図及び斜視図である。
【図９】図２、図６〜図８に示した撮影筐体と異なる、さらに別の撮影筐体の側面図である。
【図１０】図２、図６〜図９に示した撮影筐体と異なる、さらに別の撮影筐体の正面図である。
【図１１】従来の自動写真撮影装置の正面図である。
【図１２】図１１に示した自動写真撮影装置の側面図である。
【図１３】図１１の自動写真撮影装置で撮影された被写体の目に投射されるキャッチライトの形状を示す模式図である。
【図１４】本発明者らが開発した自動写真撮影装置の正面図である。
【図１５】図１４の自動写真撮影装置に撮影された被写体の目に投射されるキャッチライトの形状を示す模式図である。
【符号の説明】
【００８６】
１  自動写真撮影装置
４  撮影筐体
１０、１０ａ、１０ｂ  カメラ
１４  蛍光灯
１５  ストロボ
１９、９０  カメラユニット
５０  写真出力部
６０、６０ａ〜６０ｅ  拡散板
６１、６１ａ、６１ｂ  フレーム
６５  遮光板
６２  遮光部材
【図１】
2006259238.tif 000003
【図２】
2006259238.tif 000004
【図３】
2006259238.tif 000005
【図４】
2006259238.tif 000006
【図５】
2006259238.tif 000007
【図６】
2006259238.tif 000008
【図７】
2006259238.tif 000009
【図８】
2006259238.tif 000010
【図９】
2006259238.tif 000011
【図１０】
2006259238.tif 000012
【図１１】
2006259238.tif 000013
【図１２】
2006259238.tif 000014
【図１３】
2006259238.tif 000015
【図１４】
2006259238.tif 000016
【図１５】
2006259238.tif 000017